(57)【特許請求の範囲】
【請求項１】
携帯電話機と転送先パソコンとを通信回線を介して各種の情報を送受信するように接続したＩＤチップ付き電気機器製品ＩＤ情報管理システムであって、
前記携帯電話機は、電気機器の製品に付設した粉末状のＩＤチップが備えた読み出し専用メモリに登録された各種の製品ＩＤ情報を読取るＩＤチップ読取り部と、前記電気機器の製品のＩＤチップの読み出し専用メモリから読取られた製品ＩＤ情報を製品仕様一覧の形式に編集する編集部と、前記ＩＤチップの読み出し専用メモリに登録された製品ＩＤ情報の内容を表示する表示部と、前記ＩＤチップの読み出し専用メモリから読取られた製品ＩＤ情報の送信を制御する通信制御部と、前記表示部を操作する操作部と、前記表示部を制御する表示制御部と、前記操作部の操作を制御する操作制御部と、送受話部の音声を入出力する音声入出力部と、前記ＩＤチップの読み出し専用メモリから読取られた製品ＩＤ情報を格納するメモ帳付きデータベースと、送受話部の音声入出力を制御する音声入出力制御部と、各種の制御を行う各種制御部と、携帯電話機を機能させる携帯電話機能部と、携帯電話機全体を制御する全体制御部と、携帯電話機全体に必要な電力を供給するための電源を制御する電源制御部とを有し、前記電気機器の製品のＩＤチップの読み出し専用メモリに登録された製品ＩＤ情報を前記ＩＤチップ読取り部で読取る機能と、前記ＩＤチップの読み出し専用メモリから読取った前記電気機器の製品の製品ＩＤ情報を前記通信制御部から前記転送先パソコンに送信する機能と、前記ＩＤチップの読み出し専用メモリから読取った前記電気機器の製品の製品ＩＤ情報を製品仕様一覧の形式に編集する機能と、編集された電気機器の製品の製品ＩＤ情報の内容を前記表示部の表示画面に表示させる機能と、編集された前記電気機器の製品の製品ＩＤ情報を前記メモ帳付きデータベースに格納する機能とを備え、前記転送先パソコンは、前記携帯電話機から送信された前記電気機器の製品の製品ＩＤ情報をデータベースに登録する手段を備えたことを特徴とするＩＤチップ付き電気機器製品ＩＤ情報管理システム。
【請求項２】
上記電気機器の製品に付設した上記ＩＤチップの読み出し専用メモリに登録された各種の製品ＩＤ情報は、製造メーカ名，製品名，型名，製造番号，消耗品名，消耗品の品番，消耗品の販売価格，オプション品名，オプション品の品番，オプション品の販売価格，購入年月日，購入店名などの情報を有している請求項１に記載のＩＤチップ付き電気機器製品ＩＤ情報管理システム。
【請求項３】
上記携帯電話機は、編集された上記電気機器の製品の製品ＩＤ情報を上記通信制御部から指定した転送先パソコンに送信する機能を備えている請求項１または２に記載のＩＤチップ付き電気機器製品ＩＤ情報管理システム。
【請求項４】
上記転送先パソコンは、上記携帯電話機の通信制御部からの編集された電気機器の製品の製品ＩＤ情報の内容を表示装置の表示画面に表示させる手段を備えている請求項１乃至３のいずれかに記載のＩＤチップ付き電気機器製品ＩＤ情報管理システム。
【請求項５】
上記転送先パソコンは、上記携帯電話機から参照したい特定の電気機器の製品の製品ＩＤ情報の送信要求があった場合に、特定の電気機器の製品の製品ＩＤ情報を上記データベースから読出し、前記データベースから読出した特定の電気機器の製品の製品ＩＤ情報を前記携帯電話機に送信する手段を備えている請求項１乃至４のいずれかに記載のＩＤチップ付き電気機器製品ＩＤ情報管理システム。
【請求項６】
上記転送先パソコンは、上記データベースから読出した特定の電気機器の製品の製品ＩＤ情報の内容を上記表示装置の表示画面に表示させる手段を備えている請求項１乃至５のいずれかに記載のＩＤチップ付き電気機器製品ＩＤ情報管理システム。
【請求項７】
上記携帯電話機は、上記転送先パソコンから送信された特定の電気機器の製品の製品ＩＤ情報の内容を上記表示部の表示画面に表示させる機能を備えている請求項１乃至６のいずれかに記載のＩＤチップ付き電気機器製品ＩＤ情報管理システム。
【請求項８】
上記転送先パソコンは、上記データベースから読出した特定の電気機器の製品の製品ＩＤ情報の音声信号を上記携帯電話機に送信する手段を備えている請求項１乃至７のいずれかに記載のＩＤチップ付き電気機器製品ＩＤ情報管理システム。
【請求項９】
上記携帯電話機は、上記転送先パソコンから送信された特定の電気機器の製品の製品ＩＤ情報を音声で出力する機能を備えている請求項１乃至８のいずれかに記載のＩＤチップ付き電気機器製品ＩＤ情報管理システム。
【発明の詳細な説明】
【０００１】
【発明の属する技術分野】
本発明は、特に、ユーザが購入した製品管理用のＩＤチップ付き電気機器の製品の製品ＩＤ情報を管理するのに最適なＩＤチップ付き電気機器製品ＩＤ情報管理システムに関するものである。
【０００２】
【従来の技術】
最近の日本国内においては、無線で携帯しながら通信するための携帯電話，ＰＨＳ（Ｐｅｒｓｏｎａｌ  Ｈａｎｄｙｐｈｏｎｅ  Ｓｙｓｔｅｍ）等の携帯電話機が社会に広く普及してきており、低年令から高年令までの広範囲の年令層の人が手軽に使える携帯電話機を所持し、携帯電話機には音声機能，録音機能，メール機能，ｉモード機能，モバイル機能，カメラ機能，ウェブ機能，その他の多種の機能が搭載されている。
【０００３】
従来、電気機器を販売する販売店において、ユーザがプリンタ，パソコン（ＰＣ），ファクシミリ（ＦＡＸ），複写機などのオフィス機器や電気掃除機，電気髭剃り器（シェーバ），照明器具などの家庭電化製品を購入すると、電気機器の製品とは別に取扱説明書，保証書，付属品などが添付され、一般に、電気機器の製品には型名に適合した製造メーカの指定する種々の消耗品やオプション品などがあることも知られており、ユーザは取扱説明書，保証書を紛失しないように大切に保管しておく必要があった。
【０００４】
【発明が解決しようとする課題】
ところが、現状では、ユーザが電気機器の製品の取扱説明書の保管場所を忘れたり、電気機器の製品の取扱説明書を紛失してしまうことも多く、ユーザが電気機器の製品の取扱説明書を紛失した場合には、電気機器の製品の型名に適合した製造メーカの指定する消耗品やオプション品にどのようなものがあるのかを取扱説明書を参照して調べることができなかった。
【０００５】
また、ユーザが電気機器の製品の消耗品やオプション品を購入する場合に、例えば、電気機器の製品が電気掃除機であれば、電気掃除機の消耗品として集塵用の紙パックなどが知られているが、電気掃除機の型名に適合した製造メーカの指定する紙パックを使用しなければならず、ユーザが電気掃除機の型名に適合しない紙パックを間違えて購入してしまうことがあり、紙パックの品番が電気掃除機の型名に適合しているかをあらかじめチェックしておく必要があった。
【０００６】
本発明の目的は、上述する問題点に対処して、携帯電話機が電気機器の製品に付設した粉末状のＩＤチップの読み出し専用メモリに登録された各種の製品ＩＤ情報をＩＤチップ読取り部で読取り、ＩＤチップの読み出し専用メモリから読取った電気機器の製品の製品ＩＤ情報を通信制御部から転送先パソコンに送信し、転送先パソコンが携帯電話機から送信された電気機器の製品の製品ＩＤ情報をデータベースに登録し、購入した電気機器の製品の製品ＩＤ情報を転送先のデータベースにより管理し、ユーザが購入した電気機器の製品の取扱説明書を紛失してしまった場合でも、ユーザの必要に応じて電気機器の製品の製品ＩＤ情報を転送先のデータベースから読出して容易に確認することが可能なＩＤチップ付き電気機器製品ＩＤ情報管理システムを提供することにある。
【０００７】
【課題を解決するための手段】
本発明のＩＤチップ付き電気機器製品ＩＤ情報管理システムは、携帯電話機と転送先パソコンとを通信回線を介して各種の情報を送受信するように接続したＩＤチップ付き電気機器製品ＩＤ情報管理システムであって、前記携帯電話機が、電気機器の製品に付設した粉末状のＩＤチップが備えた読み出し専用メモリに登録された各種の製品ＩＤ情報を読取るＩＤチップ読取り部と、前記電気機器の製品のＩＤチップの読み出し専用メモリから読取られた製品ＩＤ情報を製品仕様一覧の形式に編集する編集部と、前記ＩＤチップの読み出し専用メモリに登録された製品ＩＤ情報の内容を表示する表示部と、前記ＩＤチップの読み出し専用メモリから読取られた製品ＩＤ情報の送信を制御する通信制御部と、前記表示部を操作する操作部と、前記表示部を制御する表示制御部と、前記操作部の操作を制御する操作制御部と、送受話部の音声を入出力する音声入出力部と、前記ＩＤチップの読み出し専用メモリから読取られた製品ＩＤ情報を格納するメモ帳付きデータベースと、送受話部の音声入出力を制御する音声入出力制御部と、各種の制御を行う各種制御部と、携帯電話機を機能させる携帯電話機能部と、携帯電話機全体を制御する全体制御部と、携帯電話機全体に必要な電力を供給するための電源を制御する電源制御部とを有し、前記電気機器の製品のＩＤチップの読み出し専用メモリに登録された製品ＩＤ情報を前記ＩＤチップ読取り部で読取る機能と、前記ＩＤチップの読み出し専用メモリから読取った前記電気機器の製品の製品ＩＤ情報を前記通信制御部から前記転送先パソコンに送信する機能と、前記ＩＤチップの読み出し専用メモリから読取った前記電気機器の製品の製品ＩＤ情報を製品仕様一覧の形式に編集する機能と、編集された電気機器の製品の製品ＩＤ情報の内容を前記表示部の表示画面に表示させる機能と、編集された前記電気機器の製品の製品ＩＤ情報を前記メモ帳付きデータベースに格納する機能とを備え、前記転送先パソコンが、前記携帯電話機から送信された前記電気機器の製品の製品ＩＤ情報をデータベースに登録する手段を備えたことを特徴とする構成を有するものである。
【０００８】
本発明のＩＤチップ付き電気機器製品ＩＤ情報管理システムは、上記電気機器の製品に付設した上記ＩＤチップの読み出し専用メモリに登録された各種の製品ＩＤ情報が、製造メーカ名，製品名，型名，製造番号，消耗品名，消耗品の品番，消耗品の販売価格，オプション品名，オプション品の品番，オプション品の販売価格，購入年月日，購入店名などの情報を有している。
【００１０】
本発明のＩＤチップ付き電気機器製品ＩＤ情報管理システムは、上記携帯電話機が、編集された上記電気機器の製品の製品ＩＤ情報を上記通信制御部から指定した転送先パソコンに送信する機能を備えている。
【００１１】
本発明のＩＤチップ付き電気機器製品ＩＤ情報管理システムは、上記転送先パソコンが、上記携帯電話機の通信制御部からの編集された電気機器の製品の製品ＩＤ情報の内容を表示装置の表示画面に表示させる手段を備えている。
【００１２】
本発明のＩＤチップ付き電気機器製品ＩＤ情報管理システムは、上記転送先パソコンが、上記携帯電話機から参照したい特定の電気機器の製品の製品ＩＤ情報の送信要求があった場合に、特定の電気機器の製品の製品ＩＤ情報を上記データベースから読出し、前記データベースから読出した特定の電気機器の製品の製品ＩＤ情報を前記携帯電話機に送信する手段を備えている。
【００１３】
本発明のＩＤチップ付き電気機器製品ＩＤ情報管理システムは、上記転送先パソコンが、上記データベースから読出した特定の電気機器の製品の製品ＩＤ情報の内容を上記表示装置の表示画面に表示させる手段を備えている。
【００１４】
本発明のＩＤチップ付き電気機器製品ＩＤ情報管理システムは、上記携帯電話機が、上記転送先パソコンから送信された特定の電気機器の製品の製品ＩＤ情報の内容を上記表示部の表示画面に表示させる機能を備えている。
【００１５】
本発明のＩＤチップ付き電気機器製品ＩＤ情報管理システムは、上記転送先パソコンが、上記データベースから読出した特定の電気機器の製品の製品ＩＤ情報の音声信号を上記携帯電話機に送信する手段を備えている。
【００１６】
本発明のＩＤチップ付き電気機器製品ＩＤ情報管理システムは、上記携帯電話機が、上記転送先パソコンから送信された特定の電気機器の製品の製品ＩＤ情報を音声で出力する機能を備えている。
【００１７】
【発明の実施の形態】
以下、本発明の実施の形態を図面に基づいて詳細に説明する。
図１は本発明の実施の形態に係わるＩＤチップ付き電気機器製品ＩＤ情報管理システムを示す構成図である。
本発明のＩＤチップ付き電気機器製品ＩＤ情報管理システムＳは、図１に示すように、携帯電話機１と転送先２のパソコン（ＰＣ）２０とが通信回線３を介して各種の情報を送受信するように接続されている。
【００１８】
本発明のＩＤチップ付き電気機器製品ＩＤ情報管理システムＳは、携帯電話機１が、電気機器４の製品４０に付設した粉末状のＩＤチップ５が備えた読み出し専用メモリであるＲＯＭ（図示せず）に登録された各種の製品ＩＤ情報をＩＤチップ読取り部１０Ｃで読取る機能と、ＩＤチップ５のＲＯＭから読取った電気機器４の製品４０の製品ＩＤ情報を通信制御部１０Ｅから転送先２のパソコン２０に送信する機能とを備え、転送先２のパソコン２０が、携帯電話機１から送信された電気機器４の製品４０の製品ＩＤ情報をデータベース（ＤＢ）２１に登録する手段を備えている。
【００１９】
転送先２は、図１に示すように、パソコン２０と、パソコン２０に接続されたデータベース２１とを有している。
【００２０】
図２は本発明のＩＤチップ付き電気機器製品ＩＤ情報管理システムの折り畳みタイプの携帯電話機を示す正面図である。
携帯電話機１は、図２に示すように、表示画面１１，受話器１２，伸縮式アンテナ１３などを配設した表示パネル１４からなる表示部１０Ａと、複数のプッシュ式の操作ボタン１５，送話器１６などを配設した操作パネル１７からなる操作部１０Ｂとを備え、表示パネル１４にはヒンジの円筒形のバレル１４ａが一体に形成され、操作パネル１７には表示パネル１４のバレル１４ａに係合するヒンジの円筒形のバレル１７ａが一体に形成され、表示パネル１４のバレル１４ａと操作パネル１７のバレル１７ａとはヒンジピン１８を介して揺動自在に連結されている。
【００２１】
図３は本発明のＩＤチップ付き電気機器製品ＩＤ情報管理システムの折り畳みタイプの携帯電話機を示す構成図である。
携帯電話機１は、図３に示すように、電気機器４の製品４０に付設したＩＤチップ５のＲＯＭに登録された各種の製品ＩＤ情報を読取るＩＤチップ読取り部１０Ｃと、電気機器４の製品４０のＩＤチップ５のＲＯＭから読取られた製品ＩＤ情報を製品仕様一覧の形式に編集する編集部１０Ｄと、ＩＤチップ５のＲＯＭに登録された製品ＩＤ情報の内容を表示するための表示画面１１を配設した表示部１０Ａと、ＩＤチップ５のＲＯＭから読取られた製品ＩＤ情報の送信を制御する通信制御部１０Ｅと、表示部１０Ａを操作するための複数のプッシュ式の操作ボタン１５を配設した操作部１０Ｂと、表示部１０Ａを制御する表示制御部１０Ｆと、操作ボタン１５の操作を制御する操作制御部１０Ｇと、送受話部の音声を入出力する音声入出力部１０Ｈと、ＩＤチップ５のＲＯＭから読取られた製品ＩＤ情報を格納するメモ帳付きデータベース（ＤＢ）１０Ｉと、送受話部の音声入出力を制御する音声入出力制御部１０Ｊと、各種の制御を行う各種制御部１０Ｋと、携帯電話機を機能させる携帯電話機能部１０Ｌと、携帯電話機全体を制御する全体制御部１０Ｍと、携帯電話機全体に必要な電力を供給するための電源を制御する電源制御部１０Ｎとを有している。
【００２２】
携帯電話機１の全体制御部１０Ｍには、図３に示すように、ＩＤチップ読取り部１０Ｃ、編集部１０Ｄ、表示部１０Ａ、通信制御部１０Ｅ、操作部１０Ｂ、表示制御部１０Ｆ、操作制御部１０Ｇ、音声入出力部１０Ｈ、メモ帳付きデータベース１０Ｉ、音声入出力制御部１０Ｊ、各種制御部１０Ｋ、携帯電話機能部１０Ｌ、電源制御部１０Ｎがそれぞれ接続されている。
【００２３】
本発明のＩＤチップ付き電気機器製品ＩＤ情報管理システムＳは、電気機器４の製品４０に付設したＩＤチップ５のＲＯＭに登録された各種の製品ＩＤ情報が、製造メーカ名，製品名，型名，製造番号，消耗品名，消耗品の品番，消耗品の販売価格，オプション品名，オプション品の品番，オプション品の販売価格，購入年月日，購入店名などの情報を有している。
【００２４】
本発明のＩＤチップ付き電気機器製品ＩＤ情報管理システムＳは、携帯電話機１が、ＩＤチップ５のＲＯＭから読取った電気機器４の製品４０の製品ＩＤ情報を製品仕様一覧の形式に編集する機能と、編集された電気機器４の製品４０の製品ＩＤ情報の内容を表示部１０Ａの表示画面１１に表示させる機能と、編集された電気機器４の製品４０の製品ＩＤ情報をメモ帳付きデータベース１０Ｉに格納する機能とを備えている。
【００２５】
本発明のＩＤチップ付き電気機器製品ＩＤ情報管理システムＳは、携帯電話機１が、編集された電気機器４の製品４０の製品ＩＤ情報を通信制御部１０Ｅから指定した転送先２のパソコン２０に送信する機能を備えている。
【００２６】
本発明のＩＤチップ付き電気機器製品ＩＤ情報管理システムＳは、転送先２のパソコン２０が、携帯電話機１の通信制御部１０Ｅからの編集された電気機器４の製品４０の製品ＩＤ情報の内容を表示装置であるディスプレイ２２の表示画面２２ａに表示させる手段を備えている。
【００２７】
本発明のＩＤチップ付き電気機器製品ＩＤ情報管理システムＳは、転送先２のパソコン２０が、携帯電話機１から参照したい特定の電気機器４の製品４０の製品ＩＤ情報の送信要求があった場合に、特定の電気機器４の製品４０の製品ＩＤ情報をデータベース２１から読出し、データベース２１から読出した特定の電気機器４の製品４０の製品ＩＤ情報を携帯電話機１に送信する手段を備えている。
【００２８】
本発明のＩＤチップ付き電気機器製品ＩＤ情報管理システムＳは、転送先２のパソコン２０が、データベース２１から読出した特定の電気機器４の製品４０の製品ＩＤ情報の内容をディスプレイ２２の表示画面２２ａに表示させる手段を備えている。
【００２９】
本発明のＩＤチップ付き電気機器製品ＩＤ情報管理システムＳは、携帯電話機１が、転送先２のパソコン２０から送信された特定の電気機器４の製品４０の製品ＩＤ情報の内容を表示部１０Ａの表示画面１１に表示させる機能を備えている。
【００３０】
本発明のＩＤチップ付き電気機器製品ＩＤ情報管理システムＳは、転送先２のパソコン２０が、データベース２１から読出した特定の電気機器４の製品４０の製品ＩＤ情報の音声信号を携帯電話機１に送信する手段を備えている。
【００３１】
本発明のＩＤチップ付き電気機器製品ＩＤ情報管理システムＳは、携帯電話機１が、転送先２のパソコン２０から送信された特定の電気機器４の製品４０の製品ＩＤ情報を音声で出力する機能を備えている。
【００３２】
携帯電話機１は、ＩＤチップ読取り部１０Ｃが電気機器４の製品４０に付設した粉末状のＩＤチップ５のＲＯＭに登録された各種の製品ＩＤ情報を電波で読取る機能を備え、編集部１０ＤがＩＤチップ５のＲＯＭから読取った電気機器４の製品４０の製品ＩＤ情報を製品仕様一覧の形式に編集する機能を備え、表示部１０Ａが編集された電気機器４の製品４０の製品ＩＤ情報の内容を表示画面１１に表示させる機能を備え、メモ帳付きデータベース１０Ｉが編集された電気機器４の製品４０の製品ＩＤ情報を格納する機能を備えている。
【００３３】
携帯電話機１は、電源をＯＮにすると、ＩＤチップ読取り機能，製品ＩＤ情報表示機能，製品ＩＤ情報読出し機能，転送先呼出し機能を含む選択可能な各種の機能または選択可能な項目の一覧のメニューを表示部１０Ａの表示画面１１に表示させる機能を備えている。
【００３４】
携帯電話機１は、表示部１０Ａの表示画面１１に表示されたメニューの中からＩＤチップ読取り機能を操作部１０Ｂの操作ボタン１５で選択すると、ＩＤチップ読取り部１０Ｃを自動的にＯＮにセットする機能を備えている。
【００３５】
携帯電話機１は、表示部１０Ａの表示画面１１に表示されたメニューの中から製品ＩＤ情報読出し機能を操作部１０Ｂの操作ボタン１５で選択すると、メモ帳付きデータベース１０Ｉに格納された電気機器４の製品４０の製品ＩＤ情報の電気機器一覧表を表示部１０Ａの表示画面１１に表示させる機能を備えている。
【００３６】
携帯電話機１は、表示部１０Ａの表示画面１１に表示された電気機器一覧表の中から参照したい特定の電気機器４の製品４０を操作部１０Ｂの操作ボタン１５で選択すると、選択された特定の電気機器４の製品４０の製品ＩＤ情報の内容を表示部１０Ａの表示画面１１に表示させる機能を備えている。
【００３７】
携帯電話機１は、通信制御部１０ＥがＩＤチップ５のＲＯＭから読取った電気機器４の製品４０の製品ＩＤ情報を必要に応じて指定した転送先２のパソコン２０に送信する機能を備えている。
【００３８】
携帯電話機１は、ＩＤチップ読取り部１０Ｃが電気機器４の製品４０に付設したＩＤチップ５のＲＯＭに登録された製品ＩＤ情報を正常に読取った場合に、編集部１０ＤがＩＤチップ５のＲＯＭから読取った電気機器４の製品４０の製品ＩＤ情報を編集する機能を備えている。
【００３９】
携帯電話機１は、編集した電気機器４の製品４０の製品ＩＤ情報を表示部１０Ａと通信制御部１０Ｅとメモ帳付きデータベース１０Ｉに出力する機能を備えている。
【００４０】
携帯電話機１は、ＩＤチップ読取り部１０Ｃが電気機器４の製品４０に付設したＩＤチップ５のＲＯＭに登録された製品ＩＤ情報を正常に読取っていない場合に、ＩＤチップ５のＲＯＭから読取った電気機器４の製品４０の製品ＩＤ情報の読取りのエラー情報を表示部１０Ａに出力し、エラー情報の内容を表示部１０Ａの表示画面１１に表示させる機能を備えている。
【００４１】
携帯電話機１は、編集した電気機器４の製品４０の製品ＩＤ情報を表示する場合に、編集した電気機器４の製品４０の製品ＩＤ情報の内容を表示部１０Ａの表示画面１１に表示させる機能を備えている。
【００４２】
携帯電話機１は、編集した電気機器４の製品４０の製品ＩＤ情報を送信指定する場合に、編集した電気機器４の製品４０の製品ＩＤ情報を通信制御部１０Ｅから指定した転送先２のパソコン２０に送信する機能を備えている。
【００４３】
携帯電話機１は、編集した電気機器４の製品４０の製品ＩＤ情報を格納する場合に、編集した電気機器４の製品４０の製品ＩＤ情報をメモ帳付きデータベース１０Ｉに格納する機能を備えている。
【００４４】
図４は本発明のＩＤチップ付き電気機器製品ＩＤ情報管理システムにより管理する電気機器の一例を示す構成図、（ａ）は電気機器の斜視図、（ｂ）は電気機器の平面図である。
電気機器４は、図４（ａ），（ｂ）に示すように、使用する目的に応じた所望の仕事を電気エネルギーを用いて行うために製造された製品としてのオフィス機器であるプリンタ６からなり、プリンタ６に付属する型名に適合した消耗品，オプション品などを備えている。
【００４５】
電気機器４は、図４（ａ），（ｂ）に示すように、プリンタ６の製品本体となるプリンタ本体６０に各種の製品ＩＤ情報を登録したＲＯＭを備えた粉末状のＩＤチップ５が付設されている。
【００４６】
電気機器４は、ＩＤチップ５のＲＯＭに登録された各種の製品ＩＤ情報がプリンタ６の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００４７】
電気機器４のプリンタ６のプリンタ本体６０には、図４（ａ），（ｂ）に示すように、上壁６１の適当な箇所にＲＯＭを備えたＩＤチップ５が埋め込んで設けられている。
【００４８】
電気機器４のプリンタ６のプリンタ本体６０の上壁６１の表面には、図４（ａ），（ｂ）に示すように、ＲＯＭを備えたＩＤチップ５を埋め込まれていることを示す表示６２が印刷されている。
【００４９】
電気機器４のプリンタ６のプリンタ本体６０の上壁６１の表面には、図４（ａ），（ｂ）に示すように、ＲＯＭを備えたＩＤチップ５の埋め込まれている場所を示す表示５７が印刷されている。
【００５０】
一般に、プリンタ６の機種としては、感熱式プリンタ，熱転写式プリンタ，ワイヤドットプリンタ，インクジェットプリンタ，レーザプリンタなどが知られている。
【００５１】
感熱式プリンタは、使用するに従って消耗する消耗品として感熱紙などが取り揃えられている。
また、熱転写式プリンタ，ワイヤドットプリンタは、使用するに従って消耗する消耗品としてインクリボンなどが取り揃えられている。
さらに、インクジェットプリンタは、使用するに従って消耗する消耗品としてインクカートリッジなどが取り揃えられている。
【００５２】
レーザプリンタは、使用するに従って消耗する消耗品としてトナーカートリッジ，廃トナーボックスなどが取り揃えられている。
また、レーザプリンタは、ユーザの必要に応じて選択・購入可能な別売りのオプション品として拡張機器であるプリンタ増設メモリ，拡張給紙ユニット，両面印刷ユニットなどが取り揃えられている。
【００５３】
電気機器４のプリンタ６のプリンタ本体６０に埋め込まれるＩＤチップ５は、粉末状ＩＣ（集積回路）チップからなり、この粉末状ＩＣチップは最大３８桁の数字を記録することが可能である。
【００５４】
ＩＤチップ５は、縦×横０．４ｍｍ角，厚さ０．０６ｍｍで、１２８ビットのＲＯＭ（Ｒｅａｄ  Ｏｎｌｙ  Ｍｅｍｏｒｙ;読み出し専用メモリ）を備えている。
【００５５】
図５は本発明のＩＤチップ付き電気機器製品ＩＤ情報管理システムにより管理する電気機器の一例を示す背面図である。
電気機器４は、図５に示すように、プリンタ６のプリンタ本体６０に各種の製品ＩＤ情報を登録したＲＯＭを備えた粉末状のＩＤチップ５が付設されている。
【００５６】
電気機器４は、ＩＤチップ５のＲＯＭに登録された各種の製品ＩＤ情報が、プリンタ６の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００５７】
電気機器４のプリンタ６のプリンタ本体６０は、図５に示すように、バックプレート６４を有し、バックプレート６４の表側面６４ａには適当な箇所に銘板５０が貼着されている。
【００５８】
銘板５０は、図５に示すように、プレート本体５１を有し、銘板５０のプレート本体５１の一側縁５２ａと上縁５２ｂとのコーナー部５３にはＲＯＭを備えたＩＤチップ５が埋め込んで設けられている。
【００５９】
銘板５０のプレート本体５１の表面５４には、図５に示すように、ＲＯＭを備えたＩＤチップ５を埋め込まれていることを示す表示５５が印刷されている。
【００６０】
銘板５０のプレート本体５１の表面５４には、図５に示すように、ＲＯＭを備えたＩＤチップ５の埋め込まれている場所を示す表示５６が印刷されている。
【００６１】
銘板５０のプレート本体５１の表面５４には、図５に示すように、プリンタ６の製品情報である製品名，製造メーカ名，型名，製造番号などを示す表示５７が印刷されている。
【００６２】
図６は本発明のＩＤチップ付き電気機器製品ＩＤ情報管理システムにより管理する電気機器の一例を示す構成図、（ａ）は電気機器を示す斜視図、（ｂ）は電気機器を示す平面図である。
電気機器４は、図６（ａ），（ｂ）に示すように、使用する目的に応じた所望の仕事を電気エネルギーを用いて行うために製造された製品としてのオフィス機器であるノート型パソコン（ＰＣ）７からなり、ノート型パソコン７に付属する型名に適合した消耗品，オプション品などを備えている。
【００６３】
電気機器４は、図６（ａ），（ｂ）に示すように、ノート型パソコン７の製品本体となるパソコン本体７０に各種の製品ＩＤ情報を登録したＲＯＭを備えた粉末状のＩＤチップ５が付設されている。
【００６４】
電気機器４は、ＩＤチップ５のＲＯＭに登録された各種の製品ＩＤ情報が、ノート型パソコン７の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００６５】
電気機器４のノート型パソコン７のパソコン本体７０には、図６（ａ），（ｂ）に示すように、液晶パネル７１の適当な箇所にＲＯＭを備えたＩＤチップ５が埋め込んで設けられている。
【００６６】
電気機器４のノート型パソコン７のパソコン本体７０の液晶パネル７１の表面には、図６（ａ），（ｂ）に示すように、ＲＯＭを備えたＩＤチップ５を埋め込まれていることを示す表示７２が印刷されている。
【００６７】
電気機器４のノート型パソコン７のパソコン本体７０の液晶パネル７１の表面には、図６（ａ），（ｂ）に示すように、ＲＯＭを備えたＩＤチップ５の埋め込まれている場所を示す表示７３が印刷されている。
【００６８】
ノート型パソコン７は、使用するに従って消耗する消耗品として消耗品としてバッテリパックなどが取り揃えられている。
また、ノート型パソコン７は、ユーザの必要に応じて選択・購入可能な別売りのオプション品として拡張機器である増設メモリ，外部記憶装置などが取り揃えられている。
【００６９】
図７は本発明のＩＤチップ付き電気機器製品ＩＤ情報管理システムにより管理する電気機器の一例を示す底面図である。
電気機器４は、図７に示すように、ノート型パソコン７のパソコン本体７０に各種の製品ＩＤ情報を登録したＲＯＭを備えた粉末状のＩＤチップ５が付設されている。
【００７０】
電気機器４は、ＩＤチップ５のＲＯＭに登録された各種の製品ＩＤ情報が、ノート型パソコン７の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００７１】
電気機器４のノート型パソコン７のパソコン本体７０の底面７４には、図７に示すように、適当な箇所に銘板５０が貼着されている。
【００７２】
銘板５０は、図７に示すように、プレート本体５１を有し、銘板５０のプレート本体５１の一側縁５２ａと上縁５２ｂとのコーナー部５３にはＲＯＭを備えたＩＤチップ５が埋め込んで設けられている。
【００７３】
銘板５０のプレート本体５１の表面５４には、図７に示すように、ＲＯＭを備えたＩＤチップ５を埋め込まれていることを示す表示５５が印刷されている。
【００７４】
銘板５０のプレート本体５１の表面５４には、図７に示すように、ＲＯＭを備えたＩＤチップ５の埋め込まれている場所を示す表示５６が印刷されている。
【００７５】
銘板５０のプレート本体５１の表面５４には、図７に示すように、ノート型パソコン７の製品情報である製品名，製造メーカ名，型名，製造番号などを示す表示５７が印刷されている。
【００７６】
図８は本発明のＩＤチップ付き電気機器製品ＩＤ情報管理システムにより管理する電気機器の一例を示す平面図である。
電気機器４は、図８に示すように、使用する目的に応じた所望の仕事を電気エネルギーを用いて行うために製造された製品としての家庭電化製品である電気掃除機８からなり、電気掃除機８に付属する型名に適合した消耗品，オプション品などを備えている。
【００７７】
電気機器４は、図８に示すように、電気掃除機８の製品本体となる掃除機本体８０に各種の製品ＩＤ情報を登録したＲＯＭを備えた粉末状のＩＤチップ５が付設されている。
【００７８】
電気機器４は、ＩＤチップ５のＲＯＭに登録された各種の製品ＩＤ情報が、電気掃除機８の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００７９】
電気機器４の電気掃除機８の掃除機本体８０には、図８に示すように、上壁８１の適当な箇所にＲＯＭを備えたＩＤチップ５が埋め込んで設けられている。
【００８０】
電気機器４の電気掃除機８の掃除機本体８０の上壁８１の表面には、図８に示すように、ＲＯＭを備えたＩＤチップ５を埋め込まれていることを示す表示８２が印刷されている。
【００８１】
電気機器４の電気掃除機８の掃除機本体８０の上壁８１の表面には、図８に示すように、ＲＯＭを備えたＩＤチップ５の埋め込まれている場所を示す表示８３が印刷されている。
【００８２】
電気掃除機８は、使用するに従って消耗する消耗品として集塵用の紙パックなどが取り揃えられている。
また、電気掃除機８は、ユーザの必要に応じて選択・購入可能な別売りのオプション品として各種のブラシなどが取り揃えられている。
【００８３】
図９は本発明のＩＤチップ付き電気機器製品ＩＤ情報管理システムにより管理する電気機器の一例を示す平面図である。
電気機器４は、図９に示すように、電気掃除機８の掃除機本体８０に各種の製品ＩＤ情報を登録したＲＯＭを備えた粉末状のＩＤチップ５が付設されている。
【００８４】
電気機器４は、ＩＤチップ５のＲＯＭに登録された各種の製品ＩＤ情報が、電気掃除機８の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００８５】
電気機器４の電気掃除機８の掃除機本体８０の上面８４には、図９に示すように、適当な箇所に銘板５０が貼着されている。
【００８６】
銘板５０は、図９に示すように、プレート本体５１を有し、銘板５０のプレート本体５１の一側縁５２ａと上縁５２ｂとのコーナー部５３にはＲＯＭを備えたＩＤチップ５が埋め込んで設けられている。
【００８７】
銘板５０のプレート本体５１の表面５４には、図９に示すように、ＲＯＭを備えたＩＤチップ５を埋め込まれていることを示す表示５５が印刷されている。
【００８８】
銘板５０のプレート本体５１の表面５４には、図９に示すように、ＲＯＭを備えたＩＤチップ５の埋め込まれている場所を示す表示５６が印刷されている。
【００８９】
銘板５０のプレート本体５１の表面５４には、図９に示すように、電気掃除機８の製品情報である製品名，製造メーカ名，型名，製造番号などを示す表示５７が印刷されている。
【００９０】
図１０は本発明のＩＤチップ付き電気機器製品ＩＤ情報管理システムにより管理する電気機器の一例を示す正面図である。
電気機器４は、図１０に示すように、使用する目的に応じた所望の仕事を電気エネルギーを用いて行うために製造された製品としての家庭電化製品である電気髭剃り器（シェーバ）９からなり、電気髭剃り器９に付属する型名に適合した消耗品，オプション品などを備えている。
【００９１】
電気機器４は、図１０に示すように、電気髭剃り器９の製品本体となる髭剃り器本体９０に各種の製品ＩＤ情報を登録したＲＯＭを備えた粉末状のＩＤチップ５が付設されている。
【００９２】
電気機器４は、ＩＤチップ５のＲＯＭに登録された各種の製品ＩＤ情報が、電気髭剃り器９の製造メーカ名，製品名，型名，製造番号，消耗品名，消耗品の品番，消耗品の販売価格，オプション品名，オプション品の品番，オプション品の販売価格，購入年月日，購入店名などの情報を有している。
【００９３】
電気機器４の電気髭剃り器９の髭剃り器本体９０には、図１０に示すように、前壁９１の適当な箇所にＲＯＭを備えたＩＤチップ５が埋め込んで設けられている。
【００９４】
電気機器４の電気髭剃り器９の髭剃り器本体９０の前壁９１の表面には、図１０に示すように、ＲＯＭを備えたＩＤチップ５を埋め込まれていることを示す表示９２が印刷されている。
【００９５】
電気機器４の電気髭剃り器９の髭剃り器本体９０の前壁９１の表面には、図１０に示すように、ＲＯＭを備えたＩＤチップ５の埋め込まれている場所を示す表示９３が印刷されている。
【００９６】
電気髭剃り器９は、使用するに従って消耗する消耗品として替刃などが取り揃えられている。
また、電気髭剃り器９は、ユーザの必要に応じて選択・購入可能な別売りのオプション品として国外用の各種のプラグなどが取り揃えられている。
【００９７】
次に、本発明の実施の形態に係わるＩＤチップ付き電気機器製品ＩＤ情報管理システムによる電気機器の製品の製品ＩＤ情報の管理方法について説明する。
携帯電話機１を所持したユーザは、電気機器４のプリンタ６，ノート型パソコン７，電気掃除機８，電気髭剃り器９などの製品を販売店で購入した場合に、まず、ユーザが携帯電話機１の電源をＯＮにすると、ＩＤチップ読取り機能，製品ＩＤ情報表示機能，製品ＩＤ情報読出し機能，転送先呼出し機能を含む選択可能な各種の機能または選択可能な項目の一覧のメニューが携帯電話機１の表示部１０Ａの表示画面１１に表示される。
【００９８】
次いで、ユーザが携帯電話機１の表示部１０Ａの表示画面１１に表示されたメニューの中からＩＤチップ読取り機能を操作部１０Ｂの操作ボタン１５により選択すると、携帯電話機１のＩＤチップ読取り部１０Ｃが自動的にＯＮにセットされる。
【００９９】
その後、ユーザが携帯電話機１のＩＤチップ読取り部１０Ｃを購入した電気機器４のプリンタ６のプリンタ本体６０に付設したＩＤチップ５に近付けると、携帯電話機１のＩＤチップ読取り部１０Ｃが電気機器４のプリンタ６のプリンタ本体６０に付設したＩＤチップ５のＲＯＭに登録された製品ＩＤ情報を電波で読取り、携帯電話機１の編集部１０Ｄが電気機器４のプリンタ６のＩＤチップ５のＲＯＭから読取った製品ＩＤ情報を製品仕様一覧の形式に編集し、編集した電気機器４のプリンタ６の製品ＩＤ情報の内容を携帯電話機１の表示部１０Ａの表示画面１１に表示し、編集した電気機器４のプリンタ６の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を携帯電話機１のメモ帳付きデータベース１０Ｉに整理して格納する。
【０１００】
また、ユーザが携帯電話機１のＩＤチップ読取り部１０Ｃを購入した電気機器４のノート型パソコン７のパソコン本体７０に付設したＩＤチップ５に近付けると、携帯電話機１のＩＤチップ読取り部１０Ｃが電気機器４のノート型パソコン７のパソコン本体７０に付設したＩＤチップ５のＲＯＭに登録された製品ＩＤ情報を電波で読取り、携帯電話機１の編集部１０Ｄが電気機器４のノート型パソコン７のＩＤチップ５のＲＯＭから読取った製品ＩＤ情報を製品仕様一覧の形式に編集し、編集した電気機器４のノート型パソコン７の製品ＩＤ情報の内容を携帯電話機１の表示部１０Ａの表示画面１１に表示し、編集した電気機器４のノート型パソコン７の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を携帯電話機１のメモ帳付きデータベース１０Ｉに整理して格納する。
【０１０１】
また、ユーザが携帯電話機１のＩＤチップ読取り部１０Ｃを購入した電気機器４の電気掃除機８の掃除機本体８０に付設したＩＤチップ５に近付けると、携帯電話機１のＩＤチップ読取り部１０Ｃが電気機器４の電気掃除機８の掃除機本体８０に付設したＩＤチップ５のＲＯＭに登録された製品ＩＤ情報を電波で読取り、携帯電話機１の編集部１０Ｄが電気機器４の電気掃除機８のＩＤチップ５のＲＯＭから読取った製品ＩＤ情報を製品仕様一覧の形式に編集し、編集した電気機器４の電気掃除機８の製品ＩＤ情報の内容を携帯電話機１の表示部１０Ａの表示画面１１に表示し、編集した電気機器４の電気掃除機８の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を携帯電話機１のメモ帳付きデータベース１０Ｉに整理して格納する。
【０１０２】
さらに、ユーザが携帯電話機１のＩＤチップ読取り部１０Ｃを購入した電気機器４の電気髭剃り器９の髭剃り器本体９０に付設したＩＤチップ５に近付けると、携帯電話機１のＩＤチップ読取り部１０Ｃが電気機器４の電気髭剃り器９の髭剃り器本体９０に付設したＩＤチップ５のＲＯＭに登録された製品ＩＤ情報を電波で読取り、携帯電話機１の編集部１０Ｄが電気機器４の電気髭剃り器９のＩＤチップ５のＲＯＭから読取った製品ＩＤ情報を製品仕様一覧の形式に編集し、編集した電気機器４の電気髭剃り器９の製品ＩＤ情報の内容を携帯電話機１の表示部１０Ａの表示画面１１に表示し、編集した電気機器４の電気髭剃り器９の製品ＩＤ情報である製造メーカ名，製品名，型名，製造番号，消耗品名，消耗品の品番，消耗品の販売価格，オプション品名，オプション品の品番，オプション品の販売価格，購入年月日，購入店名などの情報を携帯電話機１のメモ帳付きデータベース１０Ｉに整理して格納する。
【０１０３】
図１１は本発明のＩＤチップ付き電気機器製品ＩＤ情報管理システムにおける携帯電話機の表示部の表示画面に表示された電気機器の製品の製品ＩＤ情報の一例を示す説明図である。
携帯電話機１の表示部１０Ａの表示画面１１には、図１１に示すように、電気機器４のプリンタ６のプリンタ本体６０に付設したＩＤチップ５のＲＯＭから読取った製品ＩＤ情報である製品名，製造メーカ名，型名，製造番号，消耗品名，消耗品の品番，消耗品の販売価格，オプション品名，オプション品の品番，オプション品の販売価格，購入年月日，購入店名などのプリンタ仕様一覧が編集部１０Ｄにより編集された状態で表示される。
【０１０４】
図１２は本発明のＩＤチップ付き電気機器製品ＩＤ情報管理システムにおける携帯電話機の表示部の表示画面に表示された電気機器の製品の製品ＩＤ情報の一例を示す説明図であり、（ａ）は携帯電話機の表示部の表示画面に表示された電気機器の製品の製品ＩＤ情報の電気機器一覧表を示す図、（ｂ）は携帯電話機の表示部の表示画面に表示された電気機器の製品の製品ＩＤ情報の製品仕様一覧を示す図である。
ユーザが携帯電話機１の表示部１０Ａの表示画面１１に表示されたメニューの中から電気機器４の製品の製品ＩＤ情報を表示する製品ＩＤ情報表示機能を操作部１０Ｂの操作ボタン１５により選択すると、携帯電話機１の表示部１０Ａの表示画面１１には、図１２（ａ）に示すように、メモ帳付きデータベース１０Ｉに格納した電気機器４の製品の製品ＩＤ情報の製品名，製造メーカ名，型名，消耗品名，オプション品名の電気機器一覧表が表示される。
【０１０５】
また、ユーザが、図１２（ａ）に示す携帯電話機１の表示部１０Ａの表示画面１１に表示された電気機器一覧表からノート型パソコン７を選択すると、携帯電話機１の表示部１０Ａの表示画面１１には、図１２（ｂ）に示すように、メモ帳付きデータベース１０Ｉに格納した電気機器４のノート型パソコン７の製品ＩＤ情報である製品名，製造メーカ名，型名，製造番号，消耗品名，消耗品の品番，消耗品の販売価格，オプション品名，オプション品の品番，オプション品の販売価格，購入年月日，購入店名などのパソコン仕様一覧が表示される。
【０１０６】
さらに、電気機器４の製品の消耗品やオプション品を購入する場合に、ユーザは携帯電話機１を携帯して販売店に行き、電気機器４の製品を購入するその場所で直ちに、電気機器４の製品の製品ＩＤ情報を必要に応じて携帯電話機１のメモ帳付きデータベース１０Ｉから読出し、メモ帳付きデータベース１０Ｉから読出した電気機器４の製品の製品ＩＤ情報を携帯電話機１の表示部１０Ａの表示画面１１に表示させれば、ユーザが電気機器４の製品の型名に適合した製造メーカの指定する消耗品やオプション品を目で確認することができる。
【０１０７】
ユーザは、販売店から購入した電気機器４の製品の製品ＩＤ情報を携帯電話機１のメモ帳付きデータベース１０Ｉにより管理することができる。
【０１０８】
図１３は本発明のＩＤチップ付き電気機器製品ＩＤ情報管理システムにおける携帯電話機による電気機器の製品に付設したＩＤチップの読み出し専用メモリに登録された製品ＩＤ情報の読取り時の処理フロー図である。
ステップＳ１００でスタートした処理は、携帯電話機１による電気機器４の製品４０に付設したＩＤチップ５のＲＯＭに登録された製品ＩＤ情報の読取り時に、まず、ステップＳ１０１でユーザが携帯電話機１の電源をＯＮにすると、ＩＤチップ読取り機能，製品ＩＤ情報表示機能，製品ＩＤ情報読出し機能，転送先呼出し機能を含む選択可能な各種の機能または選択可能な項目の一覧のメニューを携帯電話機１の表示部１０Ａの表示画面１１に表示する。
【０１０９】
次いで、ステップＳ１０２でユーザが携帯電話機１の表示部１０Ａの表示画面１１に表示されたメニューの中からＩＤチップ読取り機能を操作部１０Ｂの操作ボタン１５により選択すると、携帯電話機１のＩＤチップ読取り部１０Ｃを自動的にＯＮにセットし、次いで、ステップＳ１０３で携帯電話機１のＩＤチップ読取り部１０Ｃが購入した電気機器４の製品４０に付設したＩＤチップ５のＲＯＭに登録された製品ＩＤ情報を正常に読取ったか否かを判断する。
【０１１０】
ステップＳ１０３において、携帯電話機１のＩＤチップ読取り部１０Ｃが購入した電気機器４の製品４０に付設したＩＤチップ５のＲＯＭに登録された製品ＩＤ情報を正常に読取った場合は、ステップＳ１０４に移行し、ステップＳ１０４で携帯電話機１の編集部１０ＤがＩＤチップ５のＲＯＭから読取った電気機器４の製品４０の製品ＩＤ情報を製品仕様一覧の形式に編集し、次いで、ステップＳ１０５で編集した電気機器４の製品４０の製品ＩＤ情報を携帯電話機１の表示部１０Ａと通信制御部１０Ｅとメモ帳付きデータベース１０Ｉに出力し、次いで、ステップＳ１０６で編集した電気機器４の製品４０の製品ＩＤ情報を表示するか否かを判断する。
【０１１１】
ステップＳ１０６において、編集した電気機器４の製品４０の製品ＩＤ情報を表示する場合は、ステップＳ１０７に移行し、ステップＳ１０７で編集した電気機器４の製品４０の製品ＩＤ情報の内容を携帯電話機１の表示部１０Ａの表示画面１１に表示し、次いで、ステップＳ１０８で編集した電気機器４の製品４０の製品ＩＤ情報を送信指定するか否かを判断する。
【０１１２】
ステップＳ１０６において、編集した電気機器４の製品４０の製品ＩＤ情報を表示しない場合は、ステップＳ１０８に移行し、ステップＳ１０８で編集した電気機器４の製品４０の製品ＩＤ情報を送信指定するか否かを判断する。
【０１１３】
ステップＳ１０８において、編集した電気機器４の製品４０の製品ＩＤ情報を送信指定する場合は、ステップＳ１０９に移行し、ステップＳ１０９で編集した電気機器４の製品４０の製品ＩＤ情報を携帯電話機１の通信制御部１０Ｅから指定した転送先２のパソコン２０に送信し、次いで、ステップＳ１１０で転送先２のパソコン２０がＩＤチップ５のＲＯＭから読取った電気機器４の製品４０の製品ＩＤ情報を転送先２のデータベース２１に登録し、次いで、ステップＳ１１１で編集した電気機器４の製品４０の製品ＩＤ情報を格納するか否かを判断する。
【０１１４】
ステップＳ１０８において、編集した電気機器４の製品４０の製品ＩＤ情報を送信指定しない場合は、ステップＳ１１１に移行し、ステップＳ１１１で編集した電気機器４の製品４０の製品ＩＤ情報を格納するか否かを判断する。
【０１１５】
ステップＳ１１１において、編集した電気機器４の製品４０の製品ＩＤ情報を格納する場合は、ステップＳ１１２に移行し、ステップＳ１１２で編集した電気機器４の製品４０の製品ＩＤ情報を携帯電話機１のメモ帳付きデータベース１０Ｉに格納し、次いで、ステップＳ１１３で次の購入した電気機器４の製品４０に付設したＩＤチップ５のＲＯＭに登録された製品ＩＤ情報の読取り指定であるか否かを判断する。
【０１１６】
ステップＳ１１１において、編集した電気機器４の製品４０の製品ＩＤ情報を格納しない場合は、ステップＳ１１３に移行し、ステップＳ１１３で次の購入した電気機器４の製品４０に付設したＩＤチップ５のＲＯＭに登録された製品ＩＤ情報の読取り指定であるか否かを判断する。
【０１１７】
ステップＳ１０３において、携帯電話機１のＩＤチップ読取り部１０Ｃが購入した電気機器４の製品４０に付設したＩＤチップ５のＲＯＭに登録された製品ＩＤ情報を正常に読取っていない場合は、ステップＳ１１４に移行し、ステップＳ１１４でＩＤチップ５のＲＯＭから読取った電気機器４の製品４０の製品ＩＤ情報の読取りのエラー情報を携帯電話機１の表示部１０Ａに出力し、次いで、ステップＳ１１５でエラー情報の内容を携帯電話機１の表示部１０Ａの表示画面１１に表示し、次いで、ステップＳ１１３に移行し、ステップＳ１１３で次の購入した電気機器４の製品４０に付設したＩＤチップ５のＲＯＭに登録された製品ＩＤ情報の読取り指定であるか否かを判断する。
【０１１８】
ステップＳ１１３において、次の購入した電気機器４の製品４０に付設したＩＤチップ５のＲＯＭに登録された製品ＩＤ情報の読取り指定である場合は、ステップＳ１０３に復帰し、ステップＳ１０３で携帯電話機１のＩＤチップ読取り部１０Ｃが購入した電気機器４の製品４０に付設したＩＤチップ５のＲＯＭに登録された製品ＩＤ情報を正常に読取ったか否かを判断する。
【０１１９】
図１４は本発明のＩＤチップ付き電気機器製品ＩＤ情報管理システムにおける携帯電話機による転送先のデータベースに登録した電気機器の製品の製品ＩＤ情報の送信要求時の処理フロー図である。
ステップＳ２００でスタートした処理は、携帯電話機１による転送先２のデータベース２１に登録した電気機器４の製品４０の製品ＩＤ情報の送信要求時に、まず、ステップＳ２０１でユーザが携帯電話機１の電源をＯＮにすると、ＩＤチップ読取り機能，製品ＩＤ情報表示機能，製品ＩＤ情報読出し機能，転送先呼出し機能を含む選択可能な各種の機能または選択可能な項目の一覧のメニューを携帯電話機１の表示部１０Ａの表示画面１１に表示する。
【０１２０】
次いで、ステップＳ２０２でユーザが携帯電話機１の表示部１０Ａの表示画面１１に表示されたメニューの中から転送先呼出し機能を操作部１０Ｂの操作ボタン１５により選択すると、携帯電話機１を通信回線３を経由して転送先２のパソコン２０に接続し、次いで、ステップＳ２０３で携帯電話機１から参照したい特定の電気機器４の製品４０の製品ＩＤ情報の送信を転送先２のパソコン２０に要求し、次いで、ステップＳ２０４で転送先２のパソコン２０が特定の電気機器４の製品４０の製品ＩＤ情報を転送先２のデータベース２１から読出し、次いで、ステップＳ２０５で転送先２のパソコン２０がデータベース２１から読出した特定の電気機器４の製品４０の製品ＩＤ情報を携帯電話機１に送信し、次いで、ステップＳ２０６で転送先２のパソコン２０から送信された特定の電気機器４の製品４０の製品ＩＤ情報の内容を携帯電話機１の表示部１０Ａの表示画面１１に表示する。
【０１２１】
なお、電気機器の製品に付設するＲＯＭを備えた粉末状のＩＤチップの数は１個に限定されるものではなく、複数個のＩＤチップを電気機器の製品に埋め込んで設けても良く、また、複数個のＩＤチップを電気機器の製品に貼付した銘板に埋め込んで設けても良い。
【０１２２】
【発明の効果】
以上に述べたように、本発明のＩＤチップ付き電気機器製品ＩＤ情報管理システムによれば、ＩＤチップ付き電気機器の製品を購入するに際し、携帯電話機が電気機器の製品に付設した粉末状のＩＤチップの読み出し専用メモリに登録された各種の製品ＩＤ情報をＩＤチップ読取り部で読取ると共に、ＩＤチップの読み出し専用メモリから読取った電気機器の製品の製品ＩＤ情報を通信制御部から転送先パソコンに送信するので、携帯電話機所持者であるユーザが電気機器の製品を購入する販売店のその場所で直ちに、購入した電気機器の製品の製品ＩＤ情報を携帯電話機から通信回線を経由して転送先パソコンに確実に伝送することができ、転送先パソコンが携帯電話機から送信された電気機器の製品の製品ＩＤ情報をデータベースに登録するので、購入した電気機器の製品の製品ＩＤ情報を転送先のデータベースにより管理することができ、しかも、ユーザが購入した電気機器の製品の取扱説明書を紛失してしまった場合でも、購入した電気機器の製品の製品ＩＤ情報が転送先のデータベースに登録されているので、ユーザの必要に応じて電気機器の製品の製品ＩＤ情報を転送先のデータベースから読出して容易に確認することができる。
また、携帯電話機の編集部がＩＤチップの読み出し専用メモリから読取った電気機器の製品の製品ＩＤ情報を製品仕様一覧の形式に編集するので、購入した電気機器の製品の製品ＩＤ情報を製品仕様一覧の形に整えることができ、携帯電話機が編集された電気機器の製品の製品ＩＤ情報の内容を表示部の表示画面に表示させるので、ユーザが携帯電話機の表示部の表示画面に表示された購入した電気機器の製品の製品ＩＤ情報の内容を目視により参照することができ、携帯電話機が編集された電気機器の製品の製品ＩＤ情報をメモ帳付きデータベースに格納するので、購入した電気機器の製品の製品ＩＤ情報を携帯電話機のメモ帳付きデータベースにより自己管理することができる。
【０１２３】
本発明のＩＤチップ付き電気機器製品ＩＤ情報管理システムによれば、電気機器の製品に付設したＩＤチップの読み出し専用メモリに登録された各種の製品ＩＤ情報が製造メーカ名，製品名，型名，製造番号，消耗品名，消耗品の品番，消耗品の販売価格，オプション品名，オプション品の品番，オプション品の販売価格，購入年月日，購入店名などの情報を有しているので、電気機器の製品の各種の製品ＩＤ情報を製品管理に有効利用することができ、ユーザが必要な電気機器の製品の消耗品やオプション品を購入したい場合に、転送先のデータベースから読出した電気機器の製品の製品ＩＤ情報を携帯電話機の表示部の表示画面に表示させるのみで、電気機器の製品の型名に適合した消耗品やオプション品を間違えることなく指定して購入することができる。
【０１２５】
本発明のＩＤチップ付き電気機器製品ＩＤ情報管理システムによれば、携帯電話機が編集された電気機器の製品の製品ＩＤ情報を通信制御部から指定した転送先パソコンに送信するので、購入した電気機器の製品の製品ＩＤ情報を指定した転送先パソコンで管理することができる。
【０１２６】
本発明のＩＤチップ付き電気機器製品ＩＤ情報管理システムによれば、転送先パソコンが携帯電話機の通信制御部からの編集された電気機器の製品の製品ＩＤ情報の内容を表示装置の表示画面に表示させるので、ユーザが転送先パソコンの表示装置の表示画面に表示された購入した電気機器の製品の製品ＩＤ情報の内容を目視で確認することができる。
【０１２７】
本発明のＩＤチップ付き電気機器製品ＩＤ情報管理システムによれば、携帯電話機から参照したい特定の電気機器の製品の製品ＩＤ情報の送信要求があった場合に、転送先パソコンが特定の電気機器の製品の製品ＩＤ情報をデータベースから読出し、データベースから読出した特定の電気機器の製品の製品ＩＤ情報を携帯電話機に送信するので、参照したい特定の電気機器の製品の製品ＩＤ情報を転送先パソコンから通信回線を経由して携帯電話機に確実に伝送することができる。
【０１２８】
本発明のＩＤチップ付き電気機器製品ＩＤ情報管理システムによれば、転送先パソコンがデータベースから読出した特定の電気機器の製品の製品ＩＤ情報の内容を表示装置の表示画面に表示させるので、ユーザが転送先パソコンの表示装置の表示画面に表示されたデータベースから読出した参照したい特定の電気機器の製品の製品ＩＤ情報の内容を目視で確認することができる。
【０１２９】
本発明のＩＤチップ付き電気機器製品ＩＤ情報管理システムによれば、携帯電話機が転送先パソコンから送信された特定の電気機器の製品の製品ＩＤ情報の内容を表示部の表示画面に表示させるので、ユーザが携帯電話機の表示部の表示画面に表示された特定の電気機器の製品の製品ＩＤ情報の内容を目視により参照することができる。
【０１３０】
本発明のＩＤチップ付き電気機器製品ＩＤ情報管理システムによれば、転送先パソコンがデータベースから読出した特定の電気機器の製品の製品ＩＤ情報の音声信号を携帯電話機に送信するので、データベースから読出した参照したい特定の電気機器の製品の製品ＩＤ情報の音声信号を転送先パソコンから通信回線を経由して携帯電話機に迅速に伝送することができる。
【０１３１】
本発明のＩＤチップ付き電気機器製品ＩＤ情報管理システムによれば、携帯電話機が転送先パソコンから送信された特定の電気機器の製品の製品ＩＤ情報を音声で出力するので、ユーザが携帯電話機から音声出力される参照したい特定の電気機器の製品の製品ＩＤ情報を耳で聞き取って確認することができる。
【図面の簡単な説明】
【図１】本発明の実施の形態に係わるＩＤチップ付き電気機器製品ＩＤ情報管理システムを示す構成図。
【図２】本発明のＩＤチップ付き電気機器製品ＩＤ情報管理システムの折り畳みタイプの携帯電話機を示す正面図。
【図３】本発明のＩＤチップ付き電気機器製品ＩＤ情報管理システムの折り畳みタイプの携帯電話機を示す構成図。
【図４】本発明の実施の形態に係わるＩＤチップ付き電気機器製品ＩＤ情報管理システムにより管理する電気機器の一例を示す構成図。
【図５】本発明の実施の形態に係わるＩＤチップ付き電気機器製品ＩＤ情報管理システムにより管理する電気機器の一例を示す背面図。
【図６】本発明の実施の形態に係わるＩＤチップ付き電気機器製品ＩＤ情報管理システムにより管理する電気機器の一例を示す構成図。
【図７】本発明の実施の形態に係わるＩＤチップ付き電気機器製品ＩＤ情報管理システムにより管理する電気機器の一例を示す底面図。
【図８】本発明の実施の形態に係わるＩＤチップ付き電気機器製品ＩＤ情報管理システムにより管理する電気機器の一例を示す平面図。
【図９】本発明の実施の形態に係わるＩＤチップ付き電気機器製品ＩＤ情報管理システムにより管理する電気機器の一例を示す平面図。
【図１０】本発明の実施の形態に係わるＩＤチップ付き電気機器製品ＩＤ情報管理システムにより管理する電気機器の一例を示す正面図。
【図１１】本発明のＩＤチップ付き電気機器製品ＩＤ情報管理システムにおける携帯電話機の表示部の表示画面に表示された電気機器の製品の製品ＩＤ情報の一例を示す説明図。
【図１２】本発明のＩＤチップ付き電気機器製品ＩＤ情報管理システムにおける携帯電話機の表示部の表示画面に表示された電気機器の製品の製品ＩＤ情報の一例を示す説明図。
【図１３】本発明のＩＤチップ付き電気機器製品ＩＤ情報管理システムにおける携帯電話機による電気機器の製品に付設したＩＤチップに登録された製品ＩＤ情報の読取り時の処理フローチャート図。
【図１４】本発明のＩＤチップ付き電気機器製品ＩＤ情報管理システムにおける携帯電話機による転送先のデータベースに登録した電気機器の製品の製品ＩＤ情報の送信要求時の処理フローチャート図。
【符号の説明】
１  携帯電話機
２  転送先
３  通信回線
４  電気機器
５  ＩＤチップ
６  プリンタ（製品）
７  ノート型パソコン（製品）
８  電気掃除機（製品）
９  電気髭剃り器（製品）
１０Ａ  表示部
１０Ｂ  操作部
１０Ｃ  ＩＤチップ読取り部
１０Ｄ  編集部
１０Ｅ  通信制御部
１０Ｆ  表示制御部
１０Ｇ  操作制御部
１０Ｈ  音声入出力部
１０Ｉ  メモ帳付きデータベース
１０Ｊ  音声入出力制御部
１０Ｋ  各種制御部
１０Ｌ  携帯電話機能部
１０Ｍ  全体制御部
１０Ｎ  電源制御部
１１  表示画面
１２  受話器
１３  伸縮式アンテナ
１４  表示パネル
１４ａ  バレル
１５  操作ボタン
１６  送話器
１７  操作パネル
１７ａ  バレル
１８  ヒンジピン
２０  パソコン
２１  データベース
２２  ディスプレイ（表示装置）
２２ａ  表示画面
４０  製品
５０  銘板
５１  プレート本体
５２ａ  一側縁
５２ｂ  上縁
５３  コーナー部
５４  表面
５５  表示
５６  表示
５７  表示
６０  プリンタ本体
６１  上壁
６２  表示
６３  表示
６４  バックプレート
６４ａ  表側面
７０  パソコン本体
７１  液晶パネル
７２  表示
７３  表示
７４  底面
８０  掃除機本体
８１  上壁
８２  表示
８３  表示
８４  上面
９０  髭剃り器本体
９１  前壁
９２  表示
９３  表示
Ｓ  ＩＤチップ付き電気機器製品ＩＤ情報管理システム
【図１】
0003706356.tif 000002
【図２】
0003706356.tif 000003
【図３】
0003706356.tif 000004
【図４】
0003706356.tif 000005
【図５】
0003706356.tif 000006
【図６】
0003706356.tif 000007
【図７】
0003706356.tif 000008
【図８】
0003706356.tif 000009
【図９】
0003706356.tif 000010
【図１０】
0003706356.tif 000011
【図１１】
0003706356.tif 000012
【図１２】
0003706356.tif 000013
【図１３】
0003706356.tif 000014
【図１４】
0003706356.tif 000015